(57)【特許請求の範囲】
【請求項１】
シャフト；
前記シャフトが内部で回転可能になるように前記シャフトを支持する円筒状のスリーブ；
前記シャフトの上端部に締結されて、一面に前記スリーブの一部分を収容するように円筒状のローター周壁が突出されて形成されるローターケース；及び
前記ローター周壁から内径方向に突出するように前記ローター周壁の端に締結されて前記ローター周壁を延長するカバー；
を含んで、
前記ローター周壁と前記スリーブとの間の空間には第１シーリング部が形成され、前記カバーと前記スリーブとの間の空間には第２シーリング部が形成され、
前記第１シーリング部及び前記第２シーリング部は軸方向に対して傾斜した一直線上に連続的に形成され、
潤滑に用いられる流体はまず前記第１シーリング部でシーリングされ、前記流体が前記第１シーリング部から漏れる場合でも、前記流体は前記第２シーリング部でシーリングされる、モーター。
【請求項２】
前記ローター周壁に収容される前記スリーブは、
軸方向の上部に外径が拡大される形状で形成されることを特徴とする請求項１に記載のモーター。
【請求項３】
前記第１シーリング部は、
前記スリーブまたは前記ローター周壁のうち何れか一つの部分に形成されている第１シーリング溝によって形成される空間であることを特徴とする請求項１に記載のモーター。
【請求項４】
前記第２シーリング部は、
前記スリーブの傾斜部または前記カバーのうち何れか一つの部分に形成されている第２シーリング溝によって形成される空間であることを特徴とする請求項１または３に記載のモーター。
【請求項５】
前記第１シーリング溝は、
下部に行くほど溝の深さが深く形成されることを特徴とする請求項３に記載のモーター。
【請求項６】
前記第２シーリング溝は、
下部に行くほど溝の深さが深く形成されることを特徴とする請求項４に記載のモーター。
【請求項７】
前記スリーブの外周面または前記ローター周壁と前記カバーが形成する内周面のうち少なくとも何れか一つの部分には、前記第１シーリング部または第２シーリング部の間隔を拡張する少なくとも一つの拡張溝が形成されることを特徴とする請求項１から６の何れか１項に記載のモーター。
【請求項８】
前記カバーは、
透明な材質からなることを特徴とする請求項１から７の何れか１項に記載のモーター。
【請求項９】
請求項１から８のうち何れか一つに記載のモーター；
前記モーターに搭載される記録ディスクの情報を検出するヘッドを前記記録ディスクに移送するヘッド移送部；及び
前記モーターとヘッド移送部を収容するハウジング；を含む記録ディスク駆動装置。
【発明の詳細な説明】
【技術分野】
【０００１】
本発明はモーター及び記録ディスク駆動装置に関し、より詳細には、流体動圧軸受の流体が外部に排出されることを抑制することができるモーター及び記録ディスク駆動装置に関する。
【背景技術】
【０００２】
記録ディスク駆動装置に用いられる小型のスピンドルモーターには、流体動圧軸受アセンブリーが用いられ、前記流体動圧軸受アセンブリーのシャフトとスリーブの間にはオイルが介され、前記オイルから生ずる流体圧力でシャフトを支持する器具である。
【０００３】
最近、記録ディスク駆動装置がシャフトが高速で回転することによって、オイルが流体動圧軸受アセンブリー内から外部にあふれる問題点を解決するために、オイルシーリングのための研究が持続的に求められている。
【０００４】
従来の場合、流体動圧軸受アセンブリーでシャフトが挿入されるスリーブ内の軸孔の上端または下端をテーパ状に形成して、オイルがテーパシーリングされるようにする方法を主に用いている。
【０００５】
しかし、このような従来のテーパシーリング方法だと、シャフトの軸受スパンが短くなって、シャフトがローターを安定的に支持することができなくなるという問題がある。
【発明の概要】
【発明が解決しようとする課題】
【０００６】
本発明は多数のシーリング部を形成し、オイルが軸受アセンブリー内から外部に漏出されることを防止することができるモーター及び記録ディスク駆動装置を提供することを目的とする。
【課題を解決するための手段】
【０００７】
本発明によるモーターは、シャフト、シャフトが内部で回転可能になるようにシャフトを支持する円筒状のスリーブ、シャフトの上端部に締結されて、一面にスリーブの一部分を収容するように円筒状のローター周壁が突出されて形成されるローターケース、及びローター周壁の端に締結されてローター周壁を延長するカバーを含んで、ローター周壁とカバーが形成する内周面と、スリーブの外周面の間にはスリーブの潤滑に用いられる流体の漏出を防止する少なくとも二つのシーリング部が形成されることを特徴とする。
【０００８】
本発明において、少なくとも二つのシーリング部は一直線上に形成されることを特徴とする。
【０００９】
本発明において、ローター周壁に収容されるスリーブは軸方向の上部に外径が拡大される形状で形成されることができる。
【００１０】
本発明において、シーリング部は、ローター周壁とスリーブの間の空間に形成される第１シーリング部、及びカバーとスリーブの間の空間に形成される第２シーリング部を含むことができる。
【００１１】
本発明において、第１シーリング部はスリーブまたはローター周壁のうち何れか一つの部分に形成されている第１シーリング溝によって形成される空間であることができる。
【００１２】
本発明において、第２シーリング部はスリーブの傾斜部またはカバーのうち何れか一つの部分に形成されている第２シーリング溝によって形成される空間であることができる。
【００１３】
本発明において、第１シーリング溝は下部に行くほど溝の深さが深く形成されることができる。
【００１４】
本発明において、第２シーリング溝は下部に行くほど溝の深さが深く形成されることができる。
【００１５】
本発明において、シーリング部はスリーブの外周面またはローター周壁とカバーが形成する内周面のうち少なくとも何れか一つの部分にシーリング部の間隔を拡張する少なくとも一つの拡張溝が形成されることができる。
【００１６】
本発明において、カバーは透明な材質からなることが好ましい。
【００１７】
また、本発明による記録ディスク駆動装置は、上述の何れか一つのモーター、モーターに搭載される記録ディスクの情報を検出するヘッドを記録ディスクに移送するヘッド移送部、及びモーターとヘッド移送部を収容するハウジングを含んで構成される。
【発明の効果】
【００１８】
本発明によると、流体の排出経路を長くするために連続的に形成される少なくとも二つのシーリング部を備えるため、流体が軸受アセンブリーの外部に漏出されることを二重に防止することができる。
【００１９】
従って、流体の漏出によってモーターや記録ディスク駆動装置に問題が発生されることを最小化することができる。
【図面の簡単な説明】
【００２０】
【図１】本発明の実施例によるモーターを概略的に図示した断面図である。
【図２】図１のシーリング部を図示した拡大断面図である。
【図３】本発明の他の実施例によるモーターを概略的に図示した断面図である。
【図４】本発明のまた他の実施例によるモーターを概略的に図示した断面図である。
【図５】本発明の実施例によるモーターが装着された記録ディスク駆動装置を概略的に図示した断面図である。
【発明を実施するための形態】
【００２１】
本発明の詳細な説明に先立ち、以下で説明される本明細書及び請求範囲に用いられた用語や単語は通常的かつ辞書的な意味に限定して解釈されてはならず、発明者が自らの発明を最善の方法で説明するために用語の概念を適切に定義することができるという原則にしたがって本発明の技術的思想にかなう意味と概念に解釈されるべきである。従って、本明細書に記載した実施例と図面に図示された構成は本発明のもっとも好ましい実施例に過ぎず、本発明の技術的思想の全部を代弁しているわけではないため、本出願時点においてこれらを代替することができる多様な均等物と変形例があり得ることを理解しなければならない。
【００２２】
以下、添付の図面を参照して本発明の好ましい実施例を詳細に説明する。この際、添付の図面で同一の構成要素はできるだけ同一の符号で示していることに留意しなければならない。また、本発明の要旨をぼかす可能性がある公知機能及び構成に対する詳細な説明は省略する。同じ理由から、添付図面において一部の構成要素は誇張されたり省略されたりまたは概略的に図示されていて、各構成要素の大きさは実際の大きさを全面的に反映するものではない。
【００２３】
一方、方向に対する用語を定義すると、軸方向は図１を参照してシャフト１１を基準に上下方向を意味し、外径または内径方向はシャフト１１を基準にローター４０の外側端方向、またはローター４０の外側端を基準にシャフト１１の中心方向を意味する。
【００２４】
以下、本発明の実施例を添付図面に基づいて詳細に説明する。
【００２５】
図１は本発明の実施例によるモーターを概略的に図示した断面図であり、図２は図１のシーリング部を図示した拡大断面図である。
【００２６】
図１及び図２を参照すると、本実施例によるモーター１００はハードディスクドライブ（ＨＤＤ）に適用されるスピンドルモーター１００であり、軸受アセンブリー１０、ステーター３０及びローター４０を含んで構成される。
【００２７】
軸受アセンブリー１０は、シャフト１１、スリーブ１３及び回路基板６０が付着されるベース１４を含んで構成される。
【００２８】
シャフト（ｓｈａｆｔ）１１は後述するローター４０の回転軸を形成する。
【００２９】
スリーブ（ｓｌｅｅｖｅ）１３は、内部に形成されるホールにシャフト１１が挿入されて、シャフト１１が内部で容易に回転されることができるようにシャフト１１との間に油膜を形成してシャフト１１を支持する回転支持部材であり、シャフト１１の外径部またはスリーブ１３の内径部の片側には流体動圧を発生させる複数個のラジアル動圧溝（未図示）が形成されることができる。この際、スリーブ１３とシャフト１１の間には流体が満たされることができて、流体が潤滑油の役割をすることにより、回転時にスリーブ１３との摩擦を減らすようになる。このようなスリーブ１３は外周面が後述するベース１４の内部に圧入されて固定される。
【００３０】
また、本実施例によるスリーブ１３は、後述するローター周壁４８に収容される部分が軸方向の上部に外径が拡大される形状で形成される。即ち、上端部に行くほど外径が増加する形状となる。従って、本実施例によるスリーブ１３は外周面の一部が傾斜面で形成され、以下ではこのように傾斜面で形成される部分を傾斜部１３ａと称して説明する。
【００３１】
ベース１４はモーターの全体的な構成要素を支持する支持部材であり、特に、スリーブ１３を媒介としてシャフト１１が回転可能になるように支持するスリーブ支持部１５と、下部面に後述する回路基板６０が付着されるプレート部１６を含んで構成される。スリーブ支持部１５は円筒状で形成され、内部にスリーブ１３とシャフト１１が挿入される。スリーブ支持部１５の外周面には後述するステーター３０が安着される。このために、スリーブ支持部１５の外周面の外径方向に一部突出されて段差を形成する安着部１７が形成される。
【００３２】
回路基板６０の内部にモーター１００に電源を印加する回路パターン（未図示）が形成され、巻線コイル３８と電気的に連結されて巻線コイル３８に電源を印加する。また、回路基板６０の回路パターンのうちグラウンドパターンはベース１４と導通されるように形成されることができる。このような回路基板６０は、一般的な印刷回路基板（ＰＣＢ）や軟性回路基板（Ｆｌｅｘｉｂｌｅ  ＰＣＢ）などの多様な基板を必要によって選択的に用いることができる。
【００３３】
ステーター（ｓｔａｔｏｒ）３０は、多数の鉄板が積層されて形成されるコア３２と、コア３２の外周面に巻かれる巻線コイル３８を含んで構成されて、ローター４０の内部に収容される固定構造物である。
【００３４】
巻線コイル３８は後述するコア３２に巻線されるコイル（ｃｏｉｌ）であり、電源印加時に電磁気力を発生させる。本実施例による巻線コイル３８は導線（未図示）を通じて回路基板６０と電気的に連結され、これを通じて外部電源の供給を受けるようになる。しかし、これに限定されず、回路基板６０と巻線コイル３８が電気的に連結されることができる構成であれば、多様に用いられることができる。
【００３５】
ローター（ｒｏｔｏｒ）４０はマグネット４２とローターケース４４を含んで構成される。
【００３６】
マグネット（ｍａｇｎｅｔ）４２は円周方向にＮ極、Ｓ極が相互に着磁され、一定の強さの磁気力を発生する輪状の永久磁石である。
【００３７】
ローターケース（ｒｏｔｏｒ  ｃａｓｅ）４４はカップ状に形成されて、ローターハブ４５、マグネット結合部４６及びローター周壁４８を含んで構成される。
【００３８】
ローターハブ（ｒｏｔｏｒ  ｈｕｂ）４５はシャフト１１の上端部に締結される。
【００３９】
マグネット結合部４６はマグネット４２が締結される部分であり、ローターケース４４の内周面に沿って形成される。この際、マグネット４２は後述するステーター３０のコア３２と対向するように配置される。従って、コア３２に巻かれた巻線コイルに電源が印加されると、マグネット４２と巻線コイルの間の電磁気的相互作用によってローター４０が回転するようになる。
【００４０】
ローター周壁４８は円筒状でローターケース４４の一面、即ち下部面で突出されて形成され、スリーブ１３の一部分、即ちスリーブ１３の上端部の１／３程度を内部に収容するように形成される。ローター周壁４８は、後述するカバー５０とともに本発明による第１、第２シーリング部７０ａ、７０ｂを形成するようになる。これに対しては後述するシーリング部７０ａ、７０ｂに対する説明でより詳細に説明する。
【００４１】
カバー５０はローター周壁４８の端に締結され、ローター周壁４８を延長する。本実施例によるカバー５０は円形のリング形状に形成されて、断面は四角形の形状からなり、外部面が角張った形状をなして、接着剤などを通じてローター周壁４８の端に付着されることができる。
【００４２】
また、カバー５０はローター周壁４８から内径方向に一定部分突出されるようにローター周壁４８に付着される。この際、本実施例によるカバー５０は、突出された部分の角がスリーブ１３の外周面と非常に隣接して位置されるようにローター周壁４８に付着される。この際、上述の角は図面のように角張った形状で形成されることができ、より広い面がスリーブ１３の外周面と隣接するように曲線形態で形成されることもできる。
【００４３】
このようなカバー５０は後述する第２シーリング部７０ｂを形成するためのものであり、これに対しては後述する。また、本実施例によるカバー５０は透明な材質からなることが好ましい。カバー５０が透明に形成されることによって、スリーブ１３とシャフト１１の間に注入された流体の流動を肉眼で識別することができるようになる。
【００４４】
以上のように構成される本実施例によるモーター１００は、スリーブ１３の上端面とローターケース４４の下部面の間に形成される間隙を通じて流体が移動する通路７５（以下、流体移動路）が形成される。流体移動路７５は、スリーブ１３とシャフト１１の間に注入された流体が膨張される時に流体が流入されて移動する通路であり、流体移動路７５の端にはシーリング部７０ａ、７０ｂが形成される。
【００４５】
ここで、本発明はローター周壁４８とカバー５０が形成する内周面とスリーブ１３の外周面の間に、少なくとも二つのシーリング部７０ａ、７０ｂが形成されることを特徴とする。
【００４６】
第１、第２シーリング部７０ａ、７０ｂはスリーブ１３の潤滑に用いられる流体の漏出を防止するためのものであり、本実施例によるモーター１００は連続的に形成された第１シーリング部７０ａ及び第２シーリング部７０ｂを備える。特に、本実施例による第１シーリング部７０ａと第２シーリング部７０ｂは、スリーブ１３の傾斜面に沿って一直線（図２のＣ）上に形成されることを特徴とする。
【００４７】
第１シーリング部７０ａはローター周壁４８とスリーブ１３の傾斜部１３ａの間の空間に形成される。即ち、ローターケース４４から下方に垂直に突出されたローター周壁４８と、スリーブ１３の傾斜面によって形成される空間によって第１シーリング部７０ａが形成される。このように、第１シーリング部７０ａは、スリーブ１３の傾斜部１３ａによって下方に行くほどローター周壁４８とスリーブ１３の外周面との間隔が次第に広がる形状からなる。これによって、流体移動路７５を通じて漏出された流体が第１シーリング部７０ａに到逹すると、第１シーリング部７０ａの拡張された間隔によって流体の界面が形成され、流体をシーリング（またはテーパシーリング）することができるようになる。
【００４８】
第２シーリング部７０ｂはカバー５０とスリーブ１３の傾斜部１３ａの間の空間に形成される。即ち、ローター周壁４８を延長してローター周壁４８に締結されるカバー５０と、スリーブ１３の傾斜部１３ａによって形成される空間によって第２シーリング部７０ｂが形成される。第１シーリング部７０ａと同様に、第２シーリング部７０ｂはスリーブ１３の傾斜面によって下方に行くほどカバー５０とスリーブ１３の外周面との間隔が次第に広がる形状からなる。これによって、第１シーリング部７０ａから漏出された流体が第２シーリング部７０ｂに到逹すると、第２シーリング部７０ｂの拡張された間隔によって流体の界面が形成され、流体をシーリング（またはテーパシーリング）することができるようになる。
【００４９】
以上のように構成される本実施例によるモーター１００において、流体移動路７５を通じて漏出された流体をシーリングする方法を説明すると次の通りである。
【００５０】
流体が漏出されると、漏出された流体は一次的に第１シーリング部７０ａに流入される。そして、第１シーリング部７０ａに流入された流体は第１シーリング部７０ａで界面（図２のＬ１）を形成するようになり、これによって漏出された流体はシーリングされる。
【００５１】
また、第１シーリング部７０ａに流体の界面（Ｌ１）が形成された状態で、外部から衝撃が加えられたり、スリーブ１３内の流体がさらに漏出される場合、流体は第１シーリング部７０ａから再び漏出される可能性がある。第１シーリング部７０ａから漏出された流体は第２シーリング部７０ｂに流入される。そして、第２シーリング部７０ｂに流入された流体は第２シーリング部７０ｂで界面（図２のＬ２）を形成するようになり、これによって漏出された流体は再びシーリングされる。
【００５２】
また、本実施例によるモーター１００は、流体が漏出されてシーリング部７０ａ、７０ｂに位置しても、ローター４０が回転することによって作用される遠心力により、流体はスリーブ１３の傾斜部１３ａに沿って再び流体移動路７５に吸い込まれるようになる。
【００５３】
このように、本実施例によるモーター１００は、一直線上に連続的に配置された第１シーリング部７０ａ及び第２シーリング部７０ｂを通じて二重に流体をシーリングするため、流体がスリーブ１３の外部に漏出されることをより効果的に抑制することができる。
【００５４】
このように構成される本発明によるモーター１００のシーリング部７０ａ、７０ｂは多様な形態で構成されることができる。
【００５５】
以下で説明する実施例によるシーリング部と、これを備えるモーターは上述の実施例のモーター（図１の１００）と類似の構造で構成され、シーリング部の形態においてのみ差異を有する。従って、同一の構成要素に対する詳細な説明は省略し、シーリング部を中心により詳細に説明する。
【００５６】
図３は本発明の他の実施例によるモーターを概略的に図示した断面図である。
【００５７】
本実施例によるモーター２００は、スリーブ１１３の外周面とカバー１５０の形状において上述の実施例のモーター（図１の１００）と差異を有する。
【００５８】
本実施例によるスリーブ１１３は、傾斜部（図１の１３ａ）の外周面に第１シーリング溝１７１ａと第２シーリング溝１７１ｂが形成される。第１シーリング溝１７１ａと第２シーリング溝１７１ｂは、夫々第１シーリング部１７０ａと第２シーリング部１７０ｂを形成する空間を確保するために形成される溝であり、夫々スリーブ１１３の外周面に沿って連続的に形成される。
【００５９】
このような第１シーリング溝１７１ａと第２シーリング溝１７１ｂは、軸方向の下部に行くほど溝の深さが深く形成される。これによって、第１シーリング部１７０ａと第２シーリング部１７０ｂは下部に行くほどより広い空間が形成され、このような空間は第１シーリング部１７０ａや第２シーリング部１７０ｂに流入された流体が貯蔵される空間として用いられる。
【００６０】
一方、本実施例によるシーリング部１７０ａ、１７０ｂは、シーリング部１７０ａ、１７０ｂ内に流入された流体の流動を抑制するための少なくとも一つの拡張溝１７２が形成されることができる。図３の場合、スリーブ１１３の第１シーリング溝１７１ａと第２シーリング溝１７１ｂに夫々拡張溝１７２が形成された場合を図示している。
【００６１】
本実施例による拡張溝１７２はスリーブ１１３の外周面に沿って連続的に形成される。このように拡張溝１７２が形成された場合、拡張溝１７２によってシーリング部１７０ａ、１７０ｂの間隔が急激に拡張される。これによって、シーリング部１７０ａ、１７０ｂに流入された流体は、より広い界面が形成されるため流動され難くなり、これによって流体がシーリング部１７０ａ、１７０ｂの下部に漏出されることを最小化することができる。
【００６２】
一方、本実施例の場合、拡張溝１７２がスリーブ１１３の外周面、即ち、第１シーリング溝１７１ａと第２シーリング溝１７１ｂに形成される場合を例として説明した。しかし、これに限定されず、第１シーリング部１７０ａと第２シーリング部１７０ｂの内部であればどの位置にも形成されることができる。
【００６３】
また、本実施例では拡張溝１７２がスリーブ１１３の外周面に沿って連続的に形成される場合を例として説明したが、不連続的に多数個が多様な位置に形成されるなど、多様な応用が可能である。
【００６４】
本実施例によるカバー１５０は円形のリング形状であり、上述の実施例のように外部面が角張った形状で形成されず、曲面で形成される。特に、スリーブ１１３と対向する面は円弧状で形成される。これによって、本実施例によるカバー１５０は、円弧状で形成された部分のうちもっとも突出された部分がスリーブ１１３の外周面ともっとも隣接して位置されるようにローター周壁１４８に付着される。この際、カバー１５０はスリーブ１１３の第１シーリング溝１７１ａと第２シーリング溝１７１ｂの間に位置する外周面と隣接するように配置され、これによって第２シーリング部１７０ｂが形成される。一方、上述の実施例と同様に、本実施例によるカバー１５０も透明な材質からなることが好ましい。
【００６５】
以上のように構成される本実施例によるモーター２００は、スリーブ１１３に形成される第１シーリング溝１７１ａと第２シーリング溝１７１ｂを用いるため、第１シーリング部１７０ａや第２シーリング部１７０ｂがより広い空間を備えることができて、シーリング効果を高めることができる。
【００６６】
図４は本発明のまた他の実施例によるモーターを概略的に図示した断面図である。
【００６７】
本実施例によるモーター３００のスリーブ２１３は図２に図示されたスリーブ１１３と同一に形成されて、ローター周壁２４８とカバー２５０が形成する内周面に第１シーリング溝２７１ａと第２シーリング溝２７１ｂが形成されることを特徴とする。上述の図３の場合と同様に、第１シーリング溝２７１ａと第２シーリング溝２７１ｂは、夫々第１シーリング部２７０ａと第２シーリング部２７０ｂを形成する空間を確保するために形成される溝であり、ローター周壁２４８とカバー２５０の内周面に沿って連続的に形成される。
【００６８】
このような第１シーリング溝２７１ａと第２シーリング溝２７１ｂは、軸方向の下部に行くほど溝の深さが深く形成される。これによって、第１シーリング部２７０ａと第２シーリング部２７０ｂは、下部に行くほどより広い空間が形成され、このような空間は第１シーリング部２７０ａや第２シーリング部２７０ｂに流入された流体が貯蔵される空間として用いられる。
【００６９】
以上のように構成される本実施例によるモーター３００は、ローター周壁２４８とカバー２５０に形成される第１シーリング溝２７１ａと第２シーリング溝２７１ｂを用いるため、図３の場合と同様に、第１シーリング部２７０ａや第２シーリング部２７０ｂがより広い空間を備えることができて、シーリング効果を高めることができる。
【００７０】
一方、本発明によるモーター３００は上述の実施例に限定されず、多様な応用が可能である。例えば、第１シーリング溝をスリーブに、そして第２シーリング溝はカバーに形成したり、その反対に形成することも可能である。即ち、第１シーリング部はスリーブの傾斜部またはローター周壁のうち何れか一つの部分に第１シーリング溝を形成することによって構成されることができて、第２シーリング部はスリーブの傾斜部またはカバーのうち何れか一つの部分に第２シーリング溝を形成することによって構成されることができる。また、第１シーリング溝をローター周壁とスリーブの両側に全て形成したり、第２シーリング溝をカバーとスリーブの両側に全て形成することも可能である。
【００７１】
図５は本発明の実施例によるモーターが装着された記録ディスク駆動装置を図示した概略斜視図である。
【００７２】
図５を参照すると、本発明の実施例による記録ディスク駆動装置１はハードディスク駆動装置であり、モーター１００、ヘッド移送部６及びハウジング３を含む。
【００７３】
モーター１００は以上で説明した本発明によるモーター１００、２００、３００のうち何れか一つであることができて、記録ディスク２を搭載する。
【００７４】
ヘッド移送部６は、前記モーター１００に搭載された記録ディスク２の情報を検出するヘッド４を、検出しようとする記録ディスク２の面に移送させる。ヘッド４は前記ヘッド移送部６の支持部５上に配置される。
【００７５】
ハウジング３は、モーター１００とヘッド移送部６を収容する内部空間を形成するために、モーター搭載プレート８と前記モーター搭載プレート８の上部を遮蔽するトップカバー７を含むことができる。
【００７６】
以上のような本発明によるモーター及び記録ディスク駆動装置は、上述の実施例に限定されず、本発明の技術的思想内にて当分野の通常の知識を有する者によって多様な変形が可能である。
【００７７】
例えば、上述の実施例では二つのシーリング部を形成して用いる場合を例として説明した。しかし、これに限定されず、三つ以上形成することも可能であり、一直線上に形成することができれば、多様な形態と多様な個数で形成されることができる。
【００７８】
また、本実施例ではローター周壁とカバーに夫々一つのシーリング部が形成される場合を例として説明したが、これに限定されず、ローター周壁にのみ二つのシーリング部を形成したり、カバーにのみ二つのシーリング部を形成するなど、多様な応用が可能である。
【００７９】
また、本実施例では記録ディスク駆動装置（例えば、ハードディスクドライブ）に備えられるモーターを例として説明したが、この他にも流体動圧を用いる軸受を備えるモーターであれば、多様に適用されることができる。
【符号の説明】
【００８０】
１  記録ディスク駆動装置
１００、２００、３００  モーター
１０  軸受アセンブリー
１１  シャフト
１３  スリーブ
１３ａ  傾斜部
１４  ベース
１５  スリーブ支持部
１６  プレート部
１７  安着部
３０  ステーター
３２  コア
３８  巻線コイル
４０  ローター
４２  マグネット
４４  ローターケース
４８、１４８、２４８  ローター周壁
５０、１５０、２５０  カバー
６０  回路基板
７０ａ、１７０ａ、２７０ａ  第１シーリング部
７０ｂ、１７０ｂ、２７０ｂ  第２シーリング部
７５  流体移動路
１７１ａ、２７１ａ  第１シーリング溝
１７１ｂ、２７１ｂ  第２シーリング溝
１７２  拡張溝
【図１】
0005527819.tif 000002
【図２】
0005527819.tif 000003
【図３】
0005527819.tif 000004
【図４】
0005527819.tif 000005
【図５】
0005527819.tif 000006